(57)【要約】【課題】電気設備を天候に応じて効率的に運転し、エネルギーの消費量を削減する。【解決手段】住宅へ供給される総電力，住宅で使用される電気設備で消費される電力Ｐ２１〜Ｐ２４、発電ユニット６０によって発電される電力が、１時間毎の天気を示す天気情報ＷＲ１とともに自動的に表示される。これにより、ユーザは、天気に応じた電気設備での消費電力や、天気に応じた発電ユニットの発電電力を確認することできる。したがって、天気に応じた効率的な電気設備の運転が可能となる。【選択図】図７
2014075924.tif 000002
【特許請求の範囲】
【請求項１】
住宅内の電気設備の運転を支援する運転支援システムであって、
ネットワークを介して、時間帯別の天気情報を取得する天気情報取得手段と、
前記住宅内で生活するユーザによって使用される前記電気設備の使用状況を検出する検出手段と、
前記天気情報を、前記電気設備の使用状況と時系列的に関連付けて記憶する記憶手段と、
前記記憶手段によって記憶される前記天気情報と、前記電気設備の使用状況とを表示する表示手段と、
を備える運転支援システム。
【請求項２】
前記記憶手段は、前記天気情報と、前記電気設備の消費電力とを時系列的に関連付けて記憶する請求項１に記載の運転支援システム。
【請求項３】
前記表示手段は、
前記電気設備が設置される施設の電力契約に基づいた前記電気設備での電気料金を表示する請求項１又は２に記載の運転支援システム。
【請求項４】
前記表示手段は、
時間帯ごとの電気料金を表示する請求項３に記載の運転支援システム。
【請求項５】
前記電気設備の使用状況に基づいて、運転に適した前記電気設備を特定する特定手段を備え、
前記表示手段は、前記特定手段の特定結果を表示する請求項１乃至４のいずれか一項に記載の運転支援システム。
【請求項６】
前記特定手段は、
最も電気料金が安くなるように、前記電気設備を特定する請求項５に記載の運転支援システム。
【請求項７】
前記表示手段は、
前記特定手段に特定された前記電気設備を使用した場合の電気料金を表示する請求項５又は６に記載の運転支援システム。
【請求項８】
前記ユーザが前記電気設備を運転するための予約を入力するための入力手段と、
前記予約に基づいて、前記電気設備を運転するタイミングを、前記ユーザに連絡する連絡手段と、
を備える請求項１乃至７のいずれか一項に記載の運転支援システム。
【請求項９】
コンピュータを、
ネットワークを介して、時間帯別の天気情報を取得する天気情報取得手段、
前記天気情報を、住宅内で生活するユーザによって使用される電気設備の使用状況と時系列的に関連付けて記憶する記憶手段と、
前記記憶手段によって記憶される前記天気情報と、前記電気設備の使用状況とを表示する表示手段と、
として機能させるためのプログラム。
【発明の詳細な説明】
【技術分野】
【０００１】
本発明は、運転支援システム及びプログラムに関し、更に詳しくは、電気設備の運転を支援するための運転支援システム及びプログラムに関する。
【背景技術】
【０００２】
近年、災害による電力供給能力の低下への対策として、エネルギー消費量の削減を目的とする取り組みが重要視されている。このような背景から、省エネ活動を効果的に推進するための技術が、種々提案されている（例えば特許文献１参照）。
【０００３】
特許文献１に記載されたシステムは、電気設備の消費電力や、省エネ活動による節約効果を可視化することにより、電気設備を使用するユーザの節電に対する意識を高め、省エネ活動のスパイラルアップを図ることを目的とする。
【先行技術文献】
【特許文献】
【０００４】
【特許文献１】特開２００４−２２７０８２号公報
【発明の概要】
【発明が解決しようとする課題】
【０００５】
電気設備の稼働率、及び当該電気設備のユーザの生活パターンは、気温や湿度の変化に追従するように大きく変動する。このため、電気設備の消費電力や稼働状況を視覚化するにあたっては、電気設備が設置された住戸周りの環境を何らかの形で表示する必要がある。
【０００６】
本発明は、上述の事情の下になされたもので、天気情報とともに、電気設備の使用状況を関連付けて表示することにより、電気設備を天候に応じて効率的に運転することを目的とする。
【課題を解決するための手段】
【０００７】
上述の目的を達成するために、本発明に係る運転支援システムは、住宅内の電気設備の運転を支援する運転支援システムであって、ネットワークを介して、時間帯別の天気情報を取得する天気情報取得手段と、住宅内で生活するユーザによって使用される電気設備の使用状況を検出する検出手段と、天気情報を、電気設備の使用状況と時系列的に関連付けて記憶する記憶手段と、記憶手段によって記憶される天気情報と、電気設備の使用状況とを表示する表示手段と、を備える。
【発明の効果】
【０００８】
本発明によれば、天気情報とともに、電気設備の使用状況が、ユーザの生活パターンとして関連付けられて表示される。このため、ユーザは、天候に応じた電気設備の使用履歴から、最も効率的な電気設備の運転計画を生成することが可能となる。これにより、電気設備を天候に応じて効率的に運転することができる。
【図面の簡単な説明】
【０００９】
【図１】運転支援システムのブロック図である。
【図２】運転支援システムの配置図である。
【図３】制御装置のブロック図である。
【図４】運転支援システムが設置される住宅の電力系統図である。
【図５】天候データベース作成動作を説明するためのフローチャートである。
【図６】天候データベースを模式的に示す図である。
【図７】表示装置に表示された天候データベースを示す図である。
【図８】表示装置に表示された天候データベースを示す図である。
【図９】提案動作を説明するためのフローチャートである。
【図１０】予測情報と電力の平均値の対応関係を示す図である。
【図１１】予測情報ごとに算出される電力の平均値を示す図である。
【図１２】電力の平均値を表示する表示装置を示す図である。
【図１３】電気料金を表示する表示装置を示す図である。
【発明を実施するための形態】
【００１０】
以下、本発明の一実施形態を、図面を用いて説明する。図１は運転支援システム１０のブロック図である。この運転支援システム１０は、住宅に設置された電気設備の運転を支援するためのシステムである。図１に示されるように、運転支援システム１０は、制御装置１１、入力装置１２、表示装置１３、通信装置１４、電力計３１，４０，６１、照度センサ３２、及び温度センサ３３を有している。
【００１１】
図２は、住宅１００に設置された運転支援システム１０の配置図である。図２に示されるように、住宅１００は、３つの居室１０１〜１０３と、キッチン、風呂、トイレなどの共有区１０４に区分される。なお、住宅１００の区分は、実施形態の説明のための便宜的な区分である。
【００１２】
住宅１００の居室１０１〜１０３、及び共有区１０４それぞれには、電気設備５０１〜５０４が設置されている。これらの電気設備５０１〜５０４は、主として空調機器、照明機器などの家電である。
【００１３】
制御装置１１は、住宅１００の居室に配置されている。図３は制御装置１１の物理的な構成を示すブロック図である。図３に示されるように、制御装置１１は、ＣＰＵ（Central Processing Unit）１１ａ、主記憶部１１ｂ、補助記憶部１１ｃを有するコンピュータである。
【００１４】
主記憶部１１ｂは、ＲＡＭ（Random Access Memory）等を含んで構成され、ＣＰＵ１１ａの作業領域として用いられる。
【００１５】
補助記憶部１１ｃは、ＲＯＭ（Read Only Memory）、磁気ディスク、半導体メモリ等の不揮発性メモリを含んで構成されている。この補助記憶部１１ｃは、ＣＰＵ１１ａが実行するプログラム、及び各種パラメータなどを記憶している。
【００１６】
ＣＰＵ１１ａ、主記憶部１１ｂ、及び補助記憶部１１ｃは、システムバス１１ｅによって、相互に接続されている。
【００１７】
インタフェース部１１ｄは、インターネット９０、入力装置１２、表示装置１３、通信装置１４、電力計３１，４０，６１、照度センサ３２、温度センサ３３との通信インタフェースを備えている。上記各部は、インタフェース部１１ｄを介してシステムバス１７に接続される。これにより、運転支援システム１０を構成する各機器が通信可能に接続される。
【００１８】
図２に示されるように、入力装置１２は、居室１０１に設置されている。入力装置１２は、タッチパネルなどのユーザインタフェースを有している。図３を参照するとわかるように、ユーザ１３０からの指示は、この入力装置１２を介して入力され、システムバス１１ｅを経由してＣＰＵ１１ａに通知される。
【００１９】
図２に示されるように、表示装置１３は、居室１０１に設置されている。表示装置１３は、ＬＣＤ（Liquid Crystal Display）を有し、制御装置１１の処理結果等を表示する。本実施形態では、入力装置１２と表示装置１３とで、ＧＵＩ（Graphical User Interface）が構成されている。
【００２０】
図４は、住宅１００の電力系統図である。図４に示されるように、電力計４０は、商用電力系統から住宅１００に引き込まれる引き込み線１１０に設置されている。この電力計４０は、商用電力系統から住宅１００に供給される電力及び、住宅１００から商用電力系統へ潮流する電力を計測する。そして、計測結果に応じた値の信号Ｗ１を制御装置１１へ出力する。
【００２１】
電力計３１は、各居室１０１〜１０３、及び共有区１０４に引き込まれた分岐配線１１０ａ〜１１０ｄに設けられている。そして、分岐配線１１０ａ〜１１０ｄを介して電気設備５０に供給される電力を計測し、計測結果に応じた信号を出力する。
【００２２】
具体的には、電力計３１１は、居室１０１に設置された電気設備５０１に供給される電力の計測結果に応じた値の信号Ｗ２１を出力する。電力計３１２は、居室１０２に設置された電気設備５０２に供給される電力の計測結果に応じた値の信号Ｗ２２を出力する。電力計３１３は、居室１０３に設置された電気設備５０３に供給される電力の計測結果に応じた値の信号Ｗ２３を出力する。電力計３１４は、共有区１０４に設置された電気設備５０４に供給される電力の計測結果に応じた値の信号Ｗ２４を出力する。
【００２３】
電力計６１は、商用電力系統及び電気設備５０と、発電ユニット６０とを接続する分岐配線１１０ｅに設けられている。そして、発電ユニット６０から出力される電力を計測し、計測結果に応じた値の信号Ｗ３を制御装置１１へ出力する。
【００２４】
図２に示されるように、照度センサ３２は、住宅１００の居室１０１〜１０３、及び共有区１０４に配置されている。図１を参照するとわかるように、照度センサ３２は、居室１０１〜１０３、及び共有区１０４の照度を計測し、計測結果に応じた値の信号を制御装置１１へ出力する。
【００２５】
具体的には、照度センサ３２１は、居室１０１の照度の計測結果に応じた値の信号Ｌ１を出力する。照度センサ３２２は、居室１０２の照度の計測結果に応じた値の信号Ｌ２を出力する。照度センサ３２３は、居室１０３の照度の計測結果に応じた値の信号Ｌ３を出力する。照度センサ３２４は、共有区１０４の照度の計測結果に応じた値の信号Ｌ４を出力する。
【００２６】
図２に示されるように、温度センサ３３は、住宅１００の居室１０１〜１０３、及び共有区１０４に配置されている。図１を参照するとわかるように、温度センサ３３は、居室１０１〜１０３、及び共有区１０４の温度を計測し、計測結果に応じた値の信号を制御装置１１へ出力する。
【００２７】
具体的には、温度センサ３３１は、居室１０１の温度の計測結果に応じた値の信号ＴＨ１を出力する。温度センサ３３２は、居室１０２の温度の計測結果に応じた値の信号ＴＨ２を出力する。温度センサ３３３は、居室１０３の温度の計測結果に応じた値の信号ＴＨ３を出力する。温度センサ３３４は、共有区１０４の温度の計測結果に応じた値の信号ＴＨ４を出力する。
【００２８】
次に、上述のように構成された運転支援システム１０の動作について、説明する。運転支援システム１０の動作は、データベース作成動作と提案動作に二分される。データベース作成動作は、電気設備５０についてのデータベースを作成する動作である。また、提案動作は、運転に最適な電気設備５０をユーザ１３０に提案するための動作である。まず、制御装置１１が実行する天候データベース作成動作について、図５を参照して説明する。なお、上記処理は制御装置１１のＣＰＵ１１ａが、補助記憶部１１ｃに保存されたプログラムを実行することにより実現される。
【００２９】
図５は、天候データベースを作成する際に、ＣＰＵ１１ａによって実行される一連の処理を示すフローチャートである。図５に示される一連の処理は、運転支援システム１０が起動されると実行される。
【００３０】
まず、ＣＰＵ１１ａは、インターネット９０を介して、現在の天気に関する天気情報ＷＲ１を取得する（ステップＳ１０１）。そして、天気情報ＷＲ１を、当該天気情報ＷＲ１を取得した時刻と関連付ける（ステップＳ１０２）。
【００３１】
次に、ＣＰＵ１１ａは、電力計３１，４０，６１から出力される信号Ｗ１，Ｗ２１〜Ｗ２４，Ｗ３を受信する。そして、天気情報ＷＲ１と、住宅１００に供給される電力Ｐ１、電気設備５０１〜５０４で消費された電力Ｐ２１〜Ｐ２４、発電ユニット６０によって発電される電力Ｐ３を関連付ける（ステップＳ１０３）。
【００３２】
次に、ＣＰＵ１１ａは、照度センサ３２から出力される信号Ｌ１〜Ｌ２を受信する。そして、天気情報ＷＲ１と、居室１０１〜１０３、及び共有区１０４の照度ＬＸ１〜ＬＸ４を関連づける（ステップＳ１０４）。
【００３３】
次に、ＣＰＵ１１ａは、温度センサ３３から出力される信号ＴＨ１〜ＴＨ２を受信する。そして、天気情報ＷＲ１と、居室１０１〜１０３、及び共有区１０４の温度ＴＨ１〜ＴＨ４を関連づける（ステップＳ１０５）。
【００３４】
次に、ＣＰＵ１１ａは、天気情報ＷＲ１が取得された時刻情報、電力情報、照度情報、温度情報が関連付けられた天気情報ＷＲ１を、補助記憶部１１ｃに保存する（ステップＳ１０６）。ＣＰＵ１１ａは、ステップＳ１０６の処理が終了すると、ステップＳ１０１へ戻り、以降ステップＳ１０１〜Ｓ１０６の処理を繰り返す。これにより、一例として図６に示されるような天候データベースが生成される。
【００３５】
この天候データベースは、常時最新のものが表示装置１３に自動的に表示される。図７は、表示装置１３に表示された天候データベースを示す図である。図７に示されるように、天候データベースは、例えば、住宅１００で消費される消費電力が１時間単位で表示される。また、消費電力とともに、１時間あたりの電気料金Ｙも表示される。同様に、各居室１０１〜１０３、及び共有区１０４それぞれでの消費電力が１時間単位で表示されるとともに、１時間あたりの電気料金Ｙ１〜Ｙ４も表示される。これらの電気料金は、住宅１００での電力契約に基づいて算出される。
【００３６】
また、ユーザ１３０は、天候データベースを表示させる場合に、例えば図８に示されるように、各居室１０１〜１０３、及び共有区１０４の照度や温度を、天気情報ＷＲ１とともに表示することもできる。
【００３７】
次に、制御装置１１が実行する提案動作について、図９のフローチャートを参照しつつ説明する。図９に示される一連の処理は、運転支援システム１０が起動されると実行される。
【００３８】
まず、ＣＰＵ１１ａは、インターネット９０を介して、天気の予測に関する予測情報ＷＲ２を取得する（ステップＳ２０１）。次に、ＣＰＵ１１ａは、予測情報ＷＲ２に対応する天候の時に、各電気設備５０で消費された電力を予測する（ステップＳ２０２）。
【００３９】
例えば、予測情報ＷＲ２の内容が、「今後１時間の天気が晴れ」、である場合には、ＣＰＵ１１ａは、図６に示される天候データベースを参照し、天気が晴れであったときに、電気設備５０１〜５０４で消費された電力Ｐ２１〜Ｐ２４それぞれの平均値Ｐ２１（ＡＶＧ）〜Ｐ２４（ＡＶＧ）を算出する。そして、図１０に示されるように、平均値Ｐ２１（ＡＶＧ）〜Ｐ２４（ＡＶＧ）を、予測情報ＷＲ２に対応する電気設備５０での予測消費電力として、予測情報ＷＲ２に関連付ける。ＣＰＵ１１ａは、上記処理を、取得可能な予測情報ＷＲ２に対して行う。例えば、１時間から３時間後までの予測情報ＷＲ２が取得可能である場合には、図１１に示されるように、予測情報ＷＲ２ごとに、平均値Ｐ２１（ＡＶＧ）〜Ｐ２４（ＡＶＧ）を算出する。
【００４０】
ＣＰＵ１１ａは、各予測情報ＷＲ２について、平均値Ｐ２１（ＡＶＧ）〜Ｐ２４（ＡＶＧ）を算出すると、算出結果を表示装置１３に表示する。そして、最も小さい平均値Ｐ２１（ＡＶＧ）〜Ｐ２４（ＡＶＧ）を強調表示することにより、ユーザ１３０に、運転に最も適した電気設備５０を示す（ステップＳ２０３）。
【００４１】
図１２は、表示装置１３に表示されたＣＰＵ１１ａの算出結果を示す図である。図１２を参照するとわかるように、表示装置１３には、最も小さい平均値Ｐ２１（ＡＶＧ）〜Ｐ２４（ＡＶＧ）が、矩形のフレームによって強調表示される。したがって、ユーザ１３０は、入力装置１２を介して、強調表示された平均値に対応する電気設備の運転を予約することで、当該電気設備を効率的に運転することが可能となる。
【００４２】
例えば、図１２に示されるように、算出結果が表示装置１３に表示されている場合には、ユーザ１３０は、１時間後に電気設備５０１を運転し、２時間後に電気設備５０２を運転し、３時間後に電気設備５０４を運転するのが最も消費電力が少なくなり、電気料金も最も安くなることを認識することが可能となる。
【００４３】
ＣＰＵ１１ａは、ステップＳ２０３の処理が終了すると、ステップＳ２０１へ戻り、以降ステップＳ２０１〜Ｓ２０３の処理を繰り返し実行する。
【００４４】
また、本実施形態では、ユーザ１３０は、入力装置１２を介して、１時間後に電気設備５０１を運転し、２時間後に電気設備５０２を運転し、３時間後に電気設備５０４を運転するように、予約することができる。ユーザ１３０からの予約を受け付けた制御装置１１は、予約対象となった電気設備５０の運転を開始する時刻が到来すると、当該時刻の到来を通知するためのメールの送信を、通信装置１４に指示する。これにより、ユーザ１３０に、上記メールが送信される。
【００４５】
例えば、ユーザ１３０によって、１時間後に電気設備５０１を運転することが予約された場合には、予約がなされた時刻から１時間が経過すると、ユーザ１３０に電気設備５０１の運転を促すメールが送信される。
【００４６】
以上説明したように、本実施形態では、住宅１００へ供給される総電力Ｐ１，住宅１００で使用される電気設備５０１〜５０４で消費される電力Ｐ２１〜Ｐ２４、発電ユニット６０によって発電される電力Ｐ３が、１時間毎の天気を示す天気情報ＷＲ１とともに自動的に表示される。これにより、ユーザ１３０は、天気に応じた電気設備５０での消費電力や、天気に応じた発電ユニット６０の発電電力を確認することできる。したがって、天気に応じた効率的な電気設備の運転が可能となる。
【００４７】
本実施形態では、住宅１００へ供給される総電力Ｐ１に対する電気料金、住宅１００で使用される電気設備５０１〜５０４で消費される電力Ｐ２１〜Ｐ２４についての電気料金などが、１時間毎の天気を示す天気情報ＷＲ１とともに自動的に表示される。これにより、ユーザ１３０は、天気と電気料金との関係を確認することができる。したがって、天気に応じた効率的な電気設備の運転が可能となる。
【００４８】
本実施形態では、住宅１００へ供給される総電力Ｐ１，住宅１００で使用される電気設備５０１〜５０４で消費される電力Ｐ２１〜Ｐ２４、発電ユニット６０によって発電される電力Ｐ３が、居室１０１〜１０３、及び共有区１０４の温度或いは照度とともに表示される。このため、ユーザ１３０は、温度或いは照度と消費電力との関係を確認することができる。したがって、天気に応じた効率的な電気設備の運転が可能となる。
【００４９】
本実施形態では、天気の予測情報ＷＲ２が取得されると、当該予測情報ＷＲ２に示される天候における電気設備５０１〜５０４の消費電力の平均値Ｐ２１（ＡＶＧ）〜Ｐ２４（ＡＶＧ）が算出され、表示される。この消費電力の平均値Ｐ２１（ＡＶＧ）〜Ｐ２４（ＡＶＧ）は、予測情報ＷＲ２に示される天気のときに、電気設備５０で消費される電力の予測値に相関があると考えられる。したがって、ユーザ１３０は、将来の天候の変化に応じて、電気設備の効率的な運転を行うことが可能となる。
【００５０】
本実施形態では、ユーザ１３０は、入力装置１２を介して、将来運転する電気設備５０の予約を行うことができる。そして、ユーザ１３０からの予約を受け付けた制御装置１１は、予約対象となった電気設備５０の運転を開始する時刻が到来すると、当該時刻の到来を通知するためのメールの送信を、通信装置１４に指示する。これにより、ユーザ１３０に、上記メールが送信される。したがって、ユーザ１３０は、電気設備５０の運転を失念することなく行うことができる。
【００５１】
以上、本発明の実施形態について説明したが、本発明は上記実施形態によって限定されるものではない。例えば、上記実施形態では、図１２に示されるように、予測情報ＷＲ２と、各電気設備５０で消費される電力の平均値とを表示することとした。これに限らず、図１３に示されるように、表示装置１３に、各電気設備の運転に要する電気料金を表示することとしてもよい。
【００５２】
上記実施形態では、住宅１００へ供給される総電力Ｐ１，住宅１００で使用される電気設備５０１〜５０４で消費される電力Ｐ２１〜Ｐ２４、発電ユニット６０によって発電される電力Ｐ３が、それぞれ電力計４０、電力計３１１〜３１４、電力計６１によって計測された。これに限らず、居室１０１〜１０３、及び共有区１０４それぞれに供給される電力を計測するための電力計３１１〜３１４の取り付けが困難である場合には、住宅１００の引き込み線１１０を流れる電流の高調波成分に基づいて、稼動している電気設備や消費電力を特定することとしてもよい。
【００５３】
上記実施形態では、予約対象となった電気設備５０の運転を開始する時刻が到来すると、当該時刻の到来を通知するためのメールが送信されることとした。これ限らず、通信装置１４から、ユーザ１３０に電話連絡が発信させることとしてもよい。
【００５４】
上記実施形態に係る制御装置１１の機能は、専用のハードウェアによっても、また、通常のコンピュータシステムによっても実現することができる。
【００５５】
例えば、補助記憶部１１ｃに記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理を実行する装置を構成することができる。
【００５６】
また、プログラムをインターネット等の通信ネットワーク上の所定のサーバ装置が有するディスク装置等に格納しておき、例えば、搬送波に重畳させて、コンピュータにダウンロード等するようにしてもよい。
【００５７】
また、通信ネットワークを介してプログラムを転送しながら起動実行することによっても、上述の処理を達成することができる。
【００５８】
更に、プログラムの全部又は一部をサーバ装置上で実行させ、その処理に関する情報をコンピュータが通信ネットワークを介して送受信しながらプログラムを実行することによっても、上述の処理を達成することができる。
【００５９】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【００６０】
また、ＣＰＵ１１ａの機能を実現する手段は、ソフトウェアに限られず、その一部又は全部を専用のハードウェア（回路等）によって実現してもよい。
【００６１】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６２】
本発明の運転支援装置及びプログラムは、住宅に設置された電気設備の運転の支援に適している。
【符号の説明】
【００６３】
１０  運転支援システム、１１  制御装置、１１ａ  ＣＰＵ、１１ｂ  主記憶部、１１ｃ  補助記憶部、１１ｄ  インタフェース部、１１ｅ  システムバス、１２  入力装置、１３  表示装置、１４  通信装置、１７  システムバス、３１  電力計、３２  照度センサ、３３  温度センサ、４０  電力計、５０  電気設備、６０  発電ユニット、６１  電力計、９０  インターネット、１００  住宅、１０１  居室、１０２  居室、１０３  居室、１０４  共有区、１１０  引き込み線、１１０ａ〜１１０ｅ  分岐配線、  １３０  ユーザ。
【図１】
2014075924.tif 000003
【図２】
2014075924.tif 000004
【図３】
2014075924.tif 000005
【図４】
2014075924.tif 000006
【図５】
2014075924.tif 000007
【図６】
2014075924.tif 000008
【図７】
2014075924.tif 000009
【図８】
2014075924.tif 000010
【図９】
2014075924.tif 000011
【図１０】
2014075924.tif 000012
【図１１】
2014075924.tif 000013
【図１２】
2014075924.tif 000014
【図１３】
2014075924.tif 000015